(57)【特許請求の範囲】
【請求項１】
前面に開口する断熱箱体内に貯蔵室を有し、冷却器と熱交換した冷気を送風機によって前記貯蔵室の上部から当該貯蔵室内背部に向けて吹き出して成る冷却貯蔵庫において、
前記貯蔵室の背面中央部に上下に渡って取り付けられた後棚支柱と、
前記貯蔵室の両側面の前後に位置し、それぞれ上下に渡って取り付けられた棚支柱と、
これら棚支柱及び前記後棚支柱に支持され、前記貯蔵室の背面との間に所定の間隔を存して架設された棚と、
該棚の後辺中央部に設けられ、後方に突出して前記後棚支柱に支持される突出部と、
前記後棚支柱の両側における前記貯蔵室の背面に上下に渡って取り付けられ、前記棚と貯蔵室の背面間の間隔内に位置する間隔子とを備えたことを特徴とする冷却貯蔵庫。
【請求項２】
前記間隔子の下端は、前記後棚支柱の下端よりも下方まで延在していることを特徴とする請求項１の冷却貯蔵庫。
【請求項３】
前記間隔子は、貯蔵室の背面にネジ止めされる取付部と、前記ネジを隠蔽するかたちで当該取付部に開閉自在に設けられた蓋部とから成ることを特徴とする請求項１又は請求項２の冷却貯蔵庫。
【発明の詳細な説明】
【０００１】
【発明の属する技術分野】
本発明は、前面に開口する断熱箱体内に貯蔵室を有し、冷却器と熱交換した冷気を送風機によって貯蔵室の上部から当該貯蔵室内背部に向けて吹き出して成る冷却貯蔵庫に関するものである。
【０００２】
【従来の技術】
図８を参照して従来の冷却貯蔵庫１００について説明する。従来の冷却貯蔵庫１００は、前面に開口する断熱箱体１０１内に貯蔵室１０２を有し、断熱箱体１０１の前面開口には、例えば観音扉式の扉１０３が開閉自在に設けられている。そして、この断熱箱体１０１の上面には、機械室２７が区画形成され、冷却装置２４を構成する圧縮機２８、凝縮器２９及び凝縮器用送風機３０などが載置されている。そして、貯蔵室１０２内の上方には、冷却器３５及び送風機３６が設けられると共に、この冷却器３５及び送風機３６の下方には、仕切板３７が設けられる。これにより、仕切板３７と貯蔵室１０２天面との間に冷却室３８が形成される。仕切板３７の後方には、開口が形成され、送風機３６により、冷気が仕切板３７後方から貯蔵室１０２に吐出される。
【０００３】
一方、貯蔵室１０２の側面及び背面には、貯蔵室１０２上方から貯蔵室１０２の底面近傍に渡って複数の棚支柱１０４が設けられている。これら棚支柱１０４は、上下に渡って複数の係合孔１０４Ａが形成されており、係合爪１０５を係合孔１０４Ａに取り付け、該係合爪１０５に網棚１０６を架設していた。また、網棚１０６の後部には、上方に立ち上がり形状を呈するガード部材１０７が左右方向にわたって設けられていた。これにより、網棚１０６と貯蔵室１０２背面との間に冷気通路を確保していた。
【０００４】
【発明が解決しようとする課題】
しかしながら、前記網棚１０６に例えば段ボールなどの大型の収納ケースに収納された物品を複数積載した場合に、最下段の収納ケースは、前記ガード部材１０７によって貯蔵室１０２との間に冷気通路を確保することができるが、２段目以降の収納ケースは、ガード部材１０７により係止されず、貯蔵室１０２背面まで収納される。そのため、冷却室３８から吐出された冷気が、係る収納ケースにより貯蔵室１０２の下部まで降下することなく、貯蔵室１０２上方にて直ぐに送風機３６により冷却室３８に帰還していた。そのため、貯蔵室１０２全体の冷却を十分に行うことができず、貯蔵室１０２内に温度むらが生じていた。
【０００５】
そこで、本発明は従来の技術的課題を解決するために成されたものであり、貯蔵室下部への冷気供給を効率的に行うことができ、冷却効果を向上させることができる冷却貯蔵庫を提供することを目的とする。
【０００６】
【課題を解決するための手段】
本発明の冷却貯蔵庫は、前面に開口する断熱箱体内に貯蔵室を有し、冷却器と熱交換した冷気を送風機によって貯蔵室の上部から当該貯蔵室内背部に向けて吹き出して成るものであって、貯蔵室の背面中央部に上下に渡って取り付けられた後棚支柱と、貯蔵室の両側面の前後に位置し、それぞれ上下に渡って取り付けられた棚支柱と、これら棚支柱及び後棚支柱に支持され、貯蔵室の背面との間に所定の間隔を存して架設された棚と、該棚の後辺中央部に設けられ、後方に突出して後棚支柱に支持される突出部と、後棚支柱の両側における貯蔵室の背面に上下に渡って取り付けられ、棚と貯蔵室の背面間の間隔内に位置する間隔子とを備えたことを特徴とする。
【０００７】
本発明によれば、前面に開口する断熱箱体内に貯蔵室を有し、冷却器と熱交換した冷気を送風機によって貯蔵室の上部から貯蔵室内背部に向けて吹き出して成る冷却貯蔵庫において、貯蔵室の背面中央部に上下に渡って取り付けられた後棚支柱と、貯蔵室の両側面の前後に位置し、それぞれ上下に渡って取り付けられた棚支柱と、これら棚支柱及び後棚支柱に支持され、貯蔵室の背面との間に所定の間隔を存して架設された棚と、該棚の後辺中央部に設けられ、後方に突出して後棚支柱に支持される突出部と、後棚支柱の両側における貯蔵室の背面に上下に渡って取り付けられ、棚と貯蔵室の背面間の間隔内に位置する間隔子とを備えたので、棚に物品を載置しても棚と貯蔵室の背面間を降下する冷気が妨げられなくなり、貯蔵室下部への冷気供給を効率的に行うことができ、冷却効果を向上させることができるようになる。
【０００８】
また、間隔子は、中央の後棚支柱の両側に取り付けられているので、効率的且つ確実に物品による冷気通路の閉塞を阻止することができ、貯蔵室下部の冷却効果をより一層向上させることができるようになる。
【０００９】
更にまた、棚は貯蔵室の両側面前後に取り付けられた棚支柱の他に、後辺中央部の突出部が後棚支柱に支持される。これにより、棚後辺と貯蔵室の背面間に間隔を構成しながら、棚を安定的に架設することができるようになる。
【００１０】
請求項２の発明の冷却貯蔵庫は、請求項１の発明に加えて、間隔子の下端は、後棚支柱の下端よりも下方まで延在していることを特徴とする。
【００１１】
請求項２の発明によれば、請求項１の発明に加えて、間隔子の下端は、後棚支柱の下端よりも下方まで延在しているので、貯蔵室の底面に物品が載置された場合であっても、係る物品により貯蔵室の底面付近にまで冷気を供給させることができるようになる。
【００１２】
請求項３の発明の冷却貯蔵庫は、請求項１又は請求項２の発明に加えて、間隔子は、貯蔵室の背面にネジ止めされる取付部と、ネジを隠蔽するかたちで当該取付部に開閉自在に設けられた蓋部とから成ることを特徴とする。
【００１３】
請求項３の発明によれば、請求項１又は請求項２の発明に加えて、間隔子は、貯蔵室の背面にネジ止めされる取付部と、ネジを隠蔽するかたちで当該取付部に開閉自在に設けられた蓋部とから成るので、間隔子のネジ止めされる取付部が露出されず、外観が向上される。
【００１４】
【発明の実施の形態】
以下、図面に基づき本発明の実施例を詳述する。図１は本発明の冷却貯蔵庫Ｒの斜視図、図２は冷却貯蔵庫Ｒの縦断側面図、図３は冷却貯蔵庫Ｒの平断面図を示している。以下、従来の冷却貯蔵庫１００に示された符号と同様の符号が付されているものは、本発明の冷却貯蔵庫Ｒにおいても同様の構成を有するものであるものとする。実施例の冷却貯蔵庫Ｒは、ホテルやレストランの厨房などに設置される縦型業務用冷凍庫であり、前面に開口する断熱箱体１８により構成されている。
【００１５】
また、貯蔵室２０内上部には冷却装置２４の冷却器３５が取り付けられており、該冷却器及び冷却器３５の近傍に取り付けられる送風機３６により、貯蔵室２０内は所定の温度に冷却される。尚、図中において、冷却器３５及び送風機３６の下方に取り付けられる３７は、冷却器３５が取り付けられる冷却室３８と貯蔵室２０内を区画するための仕切板である。この仕切板３７は、後方が開口されている。これにより、送風機３６より貯蔵室２０から冷却室３８に吸い込まれた冷気は、冷却器３５と熱交換された後、冷却室３８後方から吐出される。
【００１６】
更に、断熱箱体１８の天面には前面パネル２５及び両側面及び後面を構成するパネル２６によって機械室２７が画成されており、この機械室２７内には冷却装置２４を構成する圧縮機２８や凝縮器２９などが設置され、冷却器と共に冷却装置２４の周知の冷媒回路を構成している。尚、図２において３０は、凝縮器用送風機である。
【００１７】
一方、貯蔵室２０の前面開口２２には、横方向の中仕切２３によって中央部にて上下に仕切られている。そして、該中仕切２３によって仕切られた貯蔵室２０の上下の開口２２は二組の観音開き式の扉（断熱扉）第１の扉２、第２の扉３によって開閉自在に閉塞される。また、上下の開口２２の中央部にそれぞれ位置する貯蔵室２０の天面及び中仕切２３の下面には、案内部材１１がそれぞれ取り付けられている。尚、貯蔵室２０内の詳細の構造は後述する。
【００１８】
ここで、向かって右側に位置する第１の扉２の内面側には、保持部材７１が取り付けられる。この保持部材７１は上端及び下端が図示しないネジにより固定され、係る保持部材７１には、仕切体７０が取り付けられる。仕切体７０は、扉２の長手方向に延在していると共に、この延在している軸を中心として保持部材７１に回動自在に枢支されている。保持部材７１は、内方に向けて突出して形成されるものである。
【００１９】
仕切体７０の前面には鋼板製の前面板７２が取り付けられており、仕切体７０の上端にはそれぞれ前記案内部材１１を案内するための案内溝（案内部材１１が係合する）が形成されたキャップ７３が嵌合されている。係る構成で、扉２を開くと案内部材１１と前記案内溝との係合によって仕切体７０は案内され、前面板７２が他方の扉３方向に向くように時計回りに回動される。これによって、仕切体７０は他方の扉３を避けて前方に移動可能となり、両扉２、３は独立して開閉可能となる。尚、各扉２、３は、前面に取り付けられるハンドル５０、５０を手前に引くことにより開閉自在とされている。
【００２０】
一方、前記貯蔵室２０の背面中央部には、上下に渡って後棚支柱１２が設けられる。更に、貯蔵室２０の両側面には、前部及び後部に位置してそれぞれ上下に渡って棚支柱１３が設けられる。これら後棚支柱１２及び棚支柱１３には、それぞれ上下に渡って複数の係合孔１２Ａ及び１３Ａが穿設されており、これら後棚支柱１２及び棚支柱１３に詳細は後述する棚１５が貯蔵室２０の上下に複数段架設される。また、これら後棚支柱１２及び棚支柱１３の下端は、最下段に位置する棚１５が取付可能とされる位置、例えば前記中仕切２３により区画される下方の貯蔵室２０の中央付近まで延在されているものとする。
【００２１】
ここで、貯蔵室２０の背面には、後棚支柱１２の両側に位置して、間隔子４０が設けられる。該間隔子４０は、後棚支柱１２及び棚支柱１３の上端よりも上方から後棚支柱１２及び棚支柱１３の下端よりも下方に延在して形成される硬質合成樹脂製の柱部材である。
【００２２】
この間隔子４０は、図４の部分拡大平断面図に示される如く、貯蔵室２０の背面にネジ止めにより固定される取付部４１と、前記ネジ止めを行うネジ４２を隠蔽するかたちで取付部４１に開閉自在に設けられる蓋部４３とから構成される。蓋部４３は、本実施例では断面略コ字状を呈しており、該コ字状の開口部を形成する一端には、取付部４１に係合する係合部４４が形成されている。そして、この蓋部４３の他端は、取付部４１の一端に連続して一体形成される。また、この一体形成される端部の内側には、内方に突出する突部４６が形成される。一方、取付部４１の一端には、蓋部４３の係合部４４を係合するための係合爪４５が形成されると共に、他端には、蓋部４３の突部４６を保持するために凹陥する保持部４７が形成されている。また、取付部４１には、上下に渡って複数のネジ孔４８が形成される。
【００２３】
以上の構成により、間隔子４０を貯蔵室２０の背面に取り付ける場合には、蓋部４３の係合部４４と取付部４１の係合爪４５の係合を開放した状態で、間隔子４０の取付部４１を貯蔵室２０の背面に宛い、ネジ４２により、貯蔵室２０の背面に固定する。その後、取付部４１の保持部４７が形成される側を中心に、蓋部４３を回動させ、蓋部４３の突部４６が取付部４１の保持部４７に挿入させると共に、蓋部４３の係合部４４を取付部４１の係合爪４５に係合させる。これにより、間隔子４０が貯蔵室２０の背面に取り付けられる。
【００２４】
間隔子４０は、以上の如く構成されるため、間隔子４０のネジ止めされる取付部４１が露出されず、外観が向上される。また、間隔子４０は、取付部４１と蓋部４３が一体に形成されているため、部品点数を削減することができるようになる。取付部４１と蓋部４３は、係合部４４と係合爪４５により容易に着脱可能とされるため、取付作業性を向上させることができる。
【００２５】
また、間隔子４０は、蓋部４３の断面略コ字状の形状により、取付部４１と所定間隔を確保することができる。このため、貯蔵室２０の背面と間隔子４０の前面との間には、所定の間隔が確保される。
【００２６】
一方、前記棚１５は、外周を形成する枠部材１５Ａと、この枠部材１５Ａに固定された前後に渡る複数の線条１５Ｂから構成されている。この棚１５の後辺中央部に位置する枠部材１５Ａ、即ち、貯蔵室２０に取り付けられた場合に、前記後棚支柱１２に当接する位置の枠部材１５Ａには、後方に突出する突出部１６が形成されている。
【００２７】
尚、図中において、１４は、棚１５を各支柱１２、１３に架設するための係合爪であり、該係合爪１４は、各支柱１２、１３に形成される係合孔１２Ａ及び１３Ａに係合する図示しない係合部と、上面に棚１５を載置し、係止させるための係止部１４Ａにより構成されるものである。
【００２８】
これにより、棚１５を貯蔵室２０内に架設する場合には、先ず、後棚支柱１２及び棚支柱１３の棚１５を架設する位置に係合爪１４を後棚支柱１２及び棚支柱１３の係合孔１２Ａ及び１３Ａに取り付ける。そして、棚１５の突出部１６を後棚支柱１２に取り付けられた係合爪１４の係止部１４Ａに係合させた後、棚１５の側辺を構成する枠部材１５Ａを棚支柱１３に取り付けられた係合爪１４の係止部１４Ａに係合させる。
【００２９】
これにより、棚１５後辺と貯蔵室２０の背面間に間隔を構成しながら棚１５を安定的に架設することができる。また、棚１５は、貯蔵室２０の側面に取り付けられた棚支柱１３の他に棚１５の後辺中央部を後棚支柱１２により支持するため、棚１５を安定して支持することができる。
【００３０】
次に、図６及び図７を参照して貯蔵室２０の底面に設けられる底敷５１について説明する。図６は冷却貯蔵庫Ｒ下部の部分拡大側断面図、図７は冷却貯蔵庫Ｒ下部の底面から見た平断面図を示している。底敷５１は、周縁を構成する枠部材５１Ａと、枠部材５１Ａの下面に前後に渡って複数、本実施例では４本、固定される接地部としての接地部材５１Ｂと、枠部材５１Ａに前後に渡って複数固定される線条５１Ｃと、枠部材５１Ａに左右に渡って本実施例では２本固定される線条５１Ｄとから構成される。
【００３１】
これにより、底敷５１は、接地部材５１Ｂにより貯蔵室２０底面よりも少許高い位置に物品を載置可能となるため、貯蔵室２０底面に貯留される水等により、収納される物品が汚染されることを未然に回避することができるようになる。
【００３２】
また、貯蔵室２０底面に貯留された水は、底敷５１の接地部材５１Ｂに沿って前後方向に排水することができ、貯蔵室２０底面の水はけを向上させることができるようになる。
【００３３】
また、従来の如く最下段の棚を架設するために、貯蔵室２０側面に設けられた支柱を貯蔵室下部まで延在させる必要が無くなると共に、支柱に最下段の棚を架設した場合に生じるデッドスペースを解消することができるようになる。
【００３４】
ここで、底敷５１は、通常使用される網棚の下面に接地部材５１Ｂを取り付けることにより構成することができるため、既存の網棚を用いて容易に底敷５１を生産することができる。
【００３５】
次に、図２を参照して本発明の冷却貯蔵庫Ｒの冷気循環について説明する。前述の如く冷却室３８にて冷却器３５と熱交換された冷気は、送風機３６により仕切板３７の後方に形成された開口から貯蔵室２０に吐出される。冷却室３８から吐出された冷気は、一部は貯蔵室２０の背面に取り付けられた間隔子４０より構成される棚１５と貯蔵室２０背面との間を降下する。残りの冷気は、そのまま貯蔵室２０内に循環される。
【００３６】
ここで、上述の如く貯蔵室２０の背面には、間隔子４０が設けられているため、棚１５に例えば段ボールなど大型の収納ケースに収納された物品を載置したとしても、係る物品により、棚１５と貯蔵室２０の背面との間に冷気の通路が閉塞されることを回避することができる。
【００３７】
これにより、棚１５と貯蔵室２０の背面との間に確実に冷気の通路を確保することができるため、冷却室３８から吐出された冷気を容易に貯蔵室２０下部へ供給することができるようになり、冷却効果を向上させることができる。
【００３８】
また、間隔子４０は、中央の後棚支柱１２の両側に取り付けられているので、効率的且つ確実に物品による冷気通路の閉塞を阻止することができ、貯蔵室２０下部の冷却効果をより一層向上させることができる。
【００３９】
従来の如く、棚後部にガード部材を設ける必要が無くなるため、棚構造を簡素化することができるようになり、作業工程の削減及びコストの削減を実現することができるようになる。
【００４０】
更にまた、間隔子４０の下端は、後棚支柱１２の下端よりも下方まで延在して形成されるため、貯蔵室２０の底面に物品が載置された場合であっても、係る物品により貯蔵室２０の底面付近にまで冷気を供給させることができるようになる。
【００４１】
貯蔵室２０上部から貯蔵室２０底面にまで降下した冷気は、貯蔵室２０底面において、底敷５１の接地部材５１Ｂに沿って背部から前方に向けて冷気を流通させることができるようになる。これにより、十分に貯蔵室２０底面に載置された物品を冷却することができるようになる。
【００４２】
そして、以上の如く、貯蔵室２０を循環した冷気は、前記送風機３６により冷却室３８に帰還し、再度冷却器３５と熱交換した後、貯蔵室２０内に吐出される。
【００４３】
【発明の効果】
以上詳述した如く本発明によれば、前面に開口する断熱箱体内に貯蔵室を有し、冷却器と熱交換した冷気を送風機によって貯蔵室の上部から貯蔵室内背部に向けて吹き出して成る冷却貯蔵庫において、貯蔵室の背面中央部に上下に渡って取り付けられた後棚支柱と、貯蔵室の両側面の前後に位置し、それぞれ上下に渡って取り付けられた棚支柱と、これら棚支柱及び後棚支柱に支持され、貯蔵室の背面との間に所定の間隔を存して架設された棚と、該棚の後辺中央部に設けられ、後方に突出して後棚支柱に支持される突出部と、後棚支柱の両側における貯蔵室の背面に上下に渡って取り付けられ、棚と貯蔵室の背面間の間隔内に位置する間隔子とを備えたので、棚に物品を載置しても棚と貯蔵室の背面間を降下する冷気が妨げられなくなり、貯蔵室下部への冷気供給を効率的に行うことができ、冷却効果を向上させることができるようになる。
【００４４】
また、間隔子は、中央の後棚支柱の両側に取り付けられているので、効率的且つ確実に物品による冷気通路の閉塞を阻止することができ、貯蔵室下部の冷却効果をより一層向上させることができるようになる。
【００４５】
更にまた、棚は貯蔵室の両側面前後に取り付けられた棚支柱の他に、後辺中央部の突出部が後棚支柱に支持される。これにより、棚後辺と貯蔵室の背面間に間隔を構成しながら、棚を安定的に架設することができるようになる。
【００４６】
請求項２の発明によれば、請求項１の発明に加えて、間隔子の下端は、後棚支柱の下端よりも下方まで延在しているので、貯蔵室の底面に物品が載置された場合であっても、係る物品により貯蔵室の底面付近にまで冷気を供給させることができるようになる。
【００４７】
請求項３の発明によれば、請求項１又は請求項２の発明に加えて、間隔子は、貯蔵室の背面にネジ止めされる取付部と、ネジを隠蔽するかたちで当該取付部に開閉自在に設けられた蓋部とから成るので、間隔子のネジ止めされる取付部が露出されず、外観が向上される。
【図面の簡単な説明】
【図１】  本発明の冷却貯蔵庫の斜視図である。
【図２】  本発明の冷却貯蔵庫の縦断側面図である。
【図３】  本発明の冷却貯蔵庫の横断平面図である。
【図４】  間隔子の平断面図である。
【図５】  貯蔵室背面の部分拡大平断面図である。
【図６】  冷却貯蔵庫下部の部分拡大側断面図である。
【図７】  枢支側の扉の縦断側面図である。
【図８】  従来の冷却貯蔵庫の縦断側面図である。
【符号の説明】
Ｒ  冷却貯蔵庫
２、３  扉
１２  後棚支柱
１３  棚支柱
１２Ａ、１３Ａ  係合孔
１４  係合爪
１５  棚
１５Ａ  枠部材
１５Ｂ  線条
１６  突出部
１８  断熱箱体
２２  前面開口
３０  凝縮器用送風機
３５  冷却器
３６  送風機
３７  仕切板
３８  冷却室
４０  間隔子
４１  取付部
４２  ネジ
４３  蓋部
４４  係合部
４５  係合爪
【図１】
0004502520.tif 000002
【図２】
0004502520.tif 000003
【図３】
0004502520.tif 000004
【図４】
0004502520.tif 000005
【図５】
0004502520.tif 000006
【図６】
0004502520.tif 000007
【図７】
0004502520.tif 000008
【図８】
0004502520.tif 000009